(57)【要約】  【課題】  処理槽内部の処理水に微生物の担持体を浮遊させてある構成において、処理水を排水して行われる処理槽の内部清掃時に担持体に煩わされる虞れを緩和することができ、また残渣の回収を容易に行わせることができるようにする。  【解決手段】  処理槽１内に貯留された処理水２の水面に浮遊する多数の担持体３，３…を備え、処理槽１に導入される生ゴミを処理水２と共に攪拌し、担持体を３，３…を生息域とする微生物の活動により分解処理する生ゴミ処理機において、担持体３，３…を収納保持する網袋30を備え、処理水２を排水して行われる処理槽１内の清掃に際し、網袋30と共に担持体を３，３…を取り除くことができるようにする。また処理槽１の底面近傍に着脱自在にフィルタ板５を架設し、処理水２の排水に際し、この処理水２中の残渣をフィルタ板５に捕捉させ、このフィルタ板５と共に取り出すように構成する。【選択図】      図１
2007083154.tif 000002
【特許請求の範囲】
【請求項１】
処理槽内に貯留された処理水の水面に浮遊する多数の担持体を備え、前記処理槽に導入される生ゴミを前記処理水と共に攪拌し、前記担持体を生息域とする微生物の活動により分解処理する生ゴミ処理機において、
前記担持体を複数個単位にて収納保持する一又は複数の網袋を備えることを特徴とする生ゴミ処理機。
【請求項２】
処理槽内に貯留された処理水の水面に浮遊する多数の担持体を備え、前記処理槽に導入される生ゴミを前記処理水と共に攪拌し、前記担持体を生息域とする微生物の活動により分解処理する生ゴミ処理機において、
前記処理槽の底面近傍に着脱自在に架設され、前記処理水中の固形物を捕捉するフィルタ板を備えることを特徴とする生ゴミ処理機。
【発明の詳細な説明】
【技術分野】
【０００１】
本発明は、処理槽に投入される生ゴミを、該処理槽内部の処理水中に生息する微生物の活動により分解処理する生ゴミ処理機に関する。
【背景技術】
【０００２】
近年、一般家庭、飲食店等の厨房に発生する生ゴミの処理を目的とした生ゴミ処理機が種々提案されている。この種の生ゴミ処理機の一つとして、適量の処理水を貯留する処理槽の内部に生ゴミを導入し、攪拌手段の動作により前記処理水と共に攪拌して、該処理水中に生息する微生物（食品発酵菌、酵母菌等）の活動により分解処理するように構成されたウェット式の生ゴミ処理機がある（例えば、特許文献１参照）。
【０００３】
なお処理槽内部の処理水には、多孔質の発泡体として構成された粒状をなす担持体を密に浮遊させておくことにより、処理能力を向上させ得ることが知られている。この担持体は、前記微生物の生息域を確保し、処理槽内に導入される生ゴミとの接触機会を高める作用をなすものである。
【特許文献１】特開２００２−３３６８３０号公報
【発明の開示】
【発明が解決しようとする課題】
【０００４】
さてこのような生ゴミ処理機において、処理槽の内部に導入された生ゴミは、前述の如く、処理水中での微生物の活動により分解されて消失するが、生ゴミとしての導入物に、貝殻、種子、卵の殻、骨等の難分解物が含まれていた場合、更には、各種プラスチック、ゴム、木片類、紙類等の異物が混在していた場合、これらが残渣として処理水中に残り、微生物の生息環境が悪化して処理能力の低下を招くという問題がある。
【０００５】
そこで処理槽の底部近傍に清掃用の点検口を開設し、処理槽内部の処理水を排水した後に前記点検口を開放し、該点検口を介して処理槽の内部を定期的に清掃するようにしている。ところがこのとき、前述の如く処理水に浮遊させてある微生物の担持体が処理槽の底面上に堆積した状態で残るため、清掃の前にこれらを取り除く必要があり、作業者に無為な負担を強いるという問題がある。
【０００６】
更に、担持体を除去した後、処理槽の底に残る残渣を回収する必要があり、限られた容積を有する処理槽内にて行われる回収作業に多大の手間を要するという問題があり、この手間を省くために前記処理水と共に残渣を放流することは、下水への排水基準を満たし得ないことから、許される対策ではない。
【０００７】
本発明は斯かる事情に鑑みてなされたものであり、処理水を排水して行われる処理槽の内部清掃に際し、処理水に浮遊させてある担持体に煩わされる虞れを緩和し、また処理槽の底面に残る残渣の回収を容易に行わせることができ、内部清掃に要する手間を大幅に緩和し得る生ゴミ処理機を提供することを目的とする。
【課題を解決するための手段】
【０００８】
本発明に係る生ゴミ処理機は、処理槽内に貯留された処理水の水面に浮遊する多数の担持体を備え、前記処理槽に導入される生ゴミを前記処理水と共に攪拌し、前記担持体を生息域とする微生物の活動により分解処理する生ゴミ処理機において、前記担持体を複数個単位にて収納保持する一又は複数の網袋を備えることを特徴とする。
【０００９】
本発明においては、処理水に浮遊させてある微生物の担持体の全てを１つの網袋に収容保持させるか、複数個単位にて複数の網袋に収容保持させておき、処理水を排水して行われる処理槽内部の清掃に際し、夫々の網袋単位にて担持体を取り扱い、これらの取り除きに要する手間を削減する。
【００１０】
また本発明に係る生ゴミ処理機は、処理槽内に貯留された処理水の水面に浮遊する多数の担持体を備え、前記処理槽に導入される生ゴミを前記処理水と共に攪拌し、前記担持体を生息域とする微生物の活動により分解処理する生ゴミ処理機において、前記処理槽の底面近傍に着脱自在に架設され、前記処理水中の固形物を捕捉するフィルタ板を備えることを特徴とする。
【００１１】
この発明においては、処理水を排水して行われる処理槽内部の清掃に際し、処理水中の残渣を底面近傍に架設したフィルタ板に捕捉させ、このフィルタ板と共に処理槽外に取り出して、残渣の回収に要する手間を削減する。
【発明の効果】
【００１２】
本発明に係る生ゴミ処理機においては、処理水を排水して行われる処理槽内部の清掃に際し、処理水に浮遊させてある担持体を、これらを収納保持する一又は複数の網袋単位にて取り扱うことができ、多数の担持体の存在に煩わされることなく処理槽の清掃を実施することが可能となる。
【００１３】
また本発明に係る生ゴミ処理機においては、処理水を排水して行われる処理槽内部の清掃に際し、処理水中に混在する残渣を処理槽の底部に架設したフィルタ板に捕捉し、該フィルタ板と共に取り出して容易に、しかも確実に回収することができ、この回収に要する手間を削減して、処理槽の清掃を容易に実施することが可能となる等、本発明は優れた効果を奏する。
【発明を実施するための最良の形態】
【００１４】
以下本発明をその実施の形態を示す図面に基づいて詳述する。図１は、本発明に係る生ゴミ処理機の第１の実施の形態の構成を略示する縦断面図である。
【００１５】
図中１は処理槽であり、頂部が縮径されたポット形の中空容器として構成されている。該処理槽１の内部には、所定の深さを有して処理水２が貯留されており、該処理水２中には、多数の担持体３，３…が浮遊させてある。これらの担持体３，３…は、スポンジ等の多孔質の発泡体であり、適宜の大きさの粒状に成形されており、これらの抜け出しを防ぎ得る程度の粗い網目を有する網袋30の内部に一括して収納保持され、処理水２の水面全域を密に覆うように浮遊させてある。
【００１６】
処理槽１の周壁には、周方向の一か所にオーバフロー口10が開設されており、該オーバフロー口10は、フィルタ板11により覆われている。処理槽１の外側には、オーバフロー口10の開設位置に面して排水室12が設けられ、該排水室12には排水管13が連結されている。このオーバフロー口10は、これの開口位置を超えた処理水２を排水室12に排出し、処理槽１内に貯留された処理水２の水位を一定に保つ作用をなす。オーバフロー口10を覆うフィルタ板11は、処理水中に含まれる異物を捕捉し、排水室12への排出を防ぐ作用をなす。なお排水室12中の排水は、前記排水管13を経て下水に放流されるが、この放流の過程において簡易な水処理槽を通し、更に清浄化するのが望ましい。
【００１７】
また処理槽１の周壁には、オーバフロー口10よりも上位置に搬送管14の一端が連結されている。この搬送管14の他端は、図示しないディスポーザに連結されており、処理槽１の内部には、ディスポーザの公知の動作により破砕された生ゴミが、搬送用の水と共に搬送管14を経て導入されるように構成してある。なお処理槽１の上部には、蓋板15により開閉自在に覆われた生ゴミの投入口が開設されており、この投入口から直接的に投入される生ゴミの受入れも可能としてあるが、この投入は、例えば、ディスポーザの故障により搬送管14を経ての生ゴミの導入がなし得ない場合に限って行われる。
【００１８】
更に処理槽１の周壁には、底面の近くに大面積の点検口16が開設されている。この点検口16は、通常運転時には、例えば、周縁へのボルト止めにより固定された蓋板17により液密を保って覆われており、処理槽１の内部点検時には、蓋板17を取り外すことにより、処理槽１の内部の見通しが可能に開口せしめられる。
【００１９】
一方処理槽１の内部の底板上には、水中ポンプを用いてなる２基の攪拌ポンプ４，４が設置されている。これらの攪拌ポンプ４，４は、底板から適長離隔した下面に開口する図示しない吸込口から処理槽１内部の処理水２を吸い込み、上方に延びる夫々の吐出管40，40から処理水２中に吐き出す動作をなす。従って攪拌ポンプ４，４が駆動された場合、夫々の吐出管40，40からの吐出水の作用により処理水２中に循環水流が発生し、処理槽１の内部に前述の如く導入される生ゴミは、処理槽１の内部に貯留された処理水２と共に攪拌される。
【００２０】
また処理槽１の内部には、底面から適長離隔した位置に、該底面の略全域を覆うようにフィルタ板５が架設されている。図２は、図１のII−II線による横断面図であり、処理槽１の底面上でのフィルタ板５の架設態様が示されている。
【００２１】
本図に示す如くフィルタ板５は、オーバフロー口10を覆うフィルタ板11と同程度の細かい網目を有する網板であり、前記攪拌ポンプ４，４の設置位置、及び後述する送気管80との配設位置を除く処理槽１の底部全面に架設され、該面内にて複数（図においては５つ）の断片5a〜5eに分離可能とし、各別に着脱自在に取付けられている。なお、これらの断片5a〜5eの大きさ及び形状は、図２中にも示された前記点検口16を通して外部への取り出しが可能となるように設定されている。
【００２２】
また本発明に係る生ゴミ処理機は、処理槽１の天板上に、補給水タンク６、バイオタンク７及びエアポンプ８を更に備えている。補給水タンク６は、公知のボールタップ60を介して図示しない水道管に接続されており、補給水タンク６の内部には、水道管から供給される補給水61が前記ボールタップ60の動作により略一定の水位を保って貯留させてある。また補給水タンク６の底部にはヒータ62が配してあり、補給水タンク６の貯留水は、前記ヒータ62の加熱により所定温度に保たれている。
【００２３】
このような補給水タンク６は、中途に電動弁63を備える給水管64を介して処理槽１の内部に連結されており、補給水タンク６の内部の貯留水は、例えば、定期的に実行される電動弁63の開放に応じて給水管64を経て処理槽１の内部に補給されるようにしてある。
【００２４】
またバイオタンク７は、バイオポンプ70を中途に備える供給管71により処理槽１の内部に連結されている。このバイオタンク７の内部には、食品発酵菌、酵母菌等、有機物を分解する能力を有する微生物を多数含有するバイオ液が貯留されており、このバイオ液は、例えば、定期的に駆動されるバイオポンプ70の動作により供給管71を経て処理槽１内に供給されるようになしてある。
【００２５】
またエアポンプ８は、外気を吸気して処理槽１内に延設された送気管80中に送り出す動作をなすポンプである。送気管80は、処理槽１の内周壁に沿って底部にまで延長され、前記フィルタ板５の下位置にて処理槽１の底面に沿わせた曝気管81に連設されている。以上の構成によりエアポンプ８の動作により吸気される外気は、送気管80経て曝気管81に送り込まれ、該曝気管81に設けた多数の小孔を経て処理水２中に曝気される。
【００２６】
以上の如く構成された生ゴミ処理機は、処理槽１の内部に予め所定水位の処理水２を貯留し、該処理槽２の水面上に前述の如く網袋30内に収納された担持体３，３…を浮遊させた状態で使用される。この状態で図示しない運転スイッチをオン操作すると、バイオポンプ70及び攪拌ポンプ４，４が駆動されて、バイオタンク７から定量のバイオ液が導入されると共に、処理水２及び担持体３，３…が所定時間攪拌されて運転準備が完了する。
【００２７】
この運転準備動作により、バイオ液中に含まれる微生物が処理槽１内に導入され、処理水２及び担持体３，３…と共に攪拌される結果、前記微生物は、多孔質の発泡体を用いてなる担持体３，３…を住処として均等に分散された状態にて生息する。
【００２８】
その後、搬送管14を経て生ゴミが導入されると、生ゴミ処理機は処理運転を開始し、攪拌ポンプ４，４の動作により処理水２が攪拌されて、処理槽１に導入された生ゴミは、処理水２中に取り込まれ、該処理水２中の微生物の活動により、水と炭酸ガスとに分解される。なお、搬送管14を経て処理槽１に導入される生ゴミは、前述の如くディスポーザの動作により破砕されており、処理水２の水面を覆う担持体３，３…の上に落下した後、これらの担持体３，３…を収納する網袋30の網目を通過して処理水２中に導入される。
【００２９】
このような処理運転中には、処理水２中へ酸素を補給し、また処理水２を適温に維持して、該処理水２中の微生物の活性を高めることを目的として、補給水タンク６からの補給水61の補給及びエアポンプ８の動作による曝気も定期的に実施される。
【００３０】
また以上の処理運転中、処理槽１内部の処理水２の水位は、搬送管14を経て生ゴミと共に導入される水、補給水タンク６から補給される補給水61、及び生ゴミの分解により発生する水の影響により上昇するが、この上昇分は、前述の如く、オーバフロー口10を経て排水室12に排出され、排水管13を経て下水に放流される。バイオタンク７からのバイオ液の導入は、排水と共に放出される微生物を補給すべく定期的に実施される。この導入は、例えば、６時間毎程度の長周期にて行わせれば十分である。
【００３１】
以上の如き処理運転の継続により処理槽１の内部には、前述の如く、生ゴミと共に誤って導入される難分解物及び異物が残渣として残り、処理水２中の微生物の生息環境が悪化して処理能力の低下を招来する。処理槽１の周壁に開設された点検口16は、このように発生する残渣を除去すべくなされる清掃のための開口として設けられており、この清掃は、処理槽１の内部の処理水２を排水した後に蓋板17を取り外し、点検口16を開放して行われる。
【００３２】
図３は、清掃時の状態を示す縦断面図であり、処理槽１内部の処理水２は排水され、点検口16は開放された状態にある。なお処理水２の排水は、例えば、底面に開口する図示しない排水管を開放して行わせてもよく、また攪拌ポンプ４，４の一方又は両方に排水用の分岐管を設け、この分岐管を経て行わせてもよい。またこの排水は、生ゴミを導入しない状態で処理運転を所定時間（例えば、24時間）継続し、最後に導入された生ゴミの分解を十分に進行させ、処理水２が清浄化された状態で実施するのが望ましい。
【００３３】
このような処理水２の排水により、該処理水２中に浮遊する多数の担持体３，３…も処理槽１の底部に降下するが、本発明に係る生ゴミ処理機においては、これらの担持体３，３…が単一の網袋30に収納保持されているから、例えば、図３中に示す如く、攪拌ポンプ４，４の上に前記網袋30と共に一体に支持された状態に留まり、これらの担持体３，３…に煩わされることなく処理槽１の内部の清掃を実施することができる。なお担持体３，３…は、網袋30と共に点検口16を経て処理槽１の外部に引き出すこともでき、この場合においても、多数の担持体３，３…を一括して取り出すことができるから、作業者に与える負担は少なく、また清掃を終えた後に処理槽１内に戻すことも容易である。
【００３４】
また本発明に係る生ゴミ処理機においては、処理槽１の底部近傍にフィルタ板５が架設されているから、前述の如く排水される処理水２中に混在する残渣は、フィルタ板５に捕捉され、該フィルタ板５上に残る。ここでフィルタ板５は、着脱自在に架設されており、前述の如く、複数の断片5a〜5eに分離可能に構成してあるから、これらの断片5a〜5eを開放された点検口16を経て処理槽１の外部に取り出し、夫々に捕捉された残渣を容易に回収することができる。これにより実質的な清掃が完了するから、処理槽１内部の限られた空間内での困難な清掃作業を作業者に強いることがなく、清掃に要する手間を大幅に軽減することができる。
【００３５】
図４は、本発明に係る生ゴミ処理機の第２の実施の形態の構成を略示する縦断面図である。本図においては、処理水２の水面に浮遊させてある微生物の担持体３，３…が、複数の網袋30，30…内に各複数個単位にて収納保持されている。他の部分の構成及び動作は、図１に示す第１の実施の形態と同様であり、対応する構成部材に図１と同一の参照符号を付して説明を省略する。
【００３６】
この実施の形態においては、前述の如く行われる清掃時に処理水２を排水した際に、複数の網袋30，30…の夫々が、攪拌ポンプ４，４等と干渉することなくフィルタ板５上に落ちることとなり、点検口16からの外部への取り出しを容易に行わせることができる。この場合においても、数個の網袋30，30…を取り出せばよく、また取り出した後の保管も容易であることから、清掃作業に手間を要することはない。
【図面の簡単な説明】
【００３７】
【図１】本発明に係る生ゴミ処理機の第１の実施の形態の構成を略示する縦断面図である。
【図２】図１のII−II線による横断面図である。
【図３】図１に示す生ゴミ処理機の清掃時の状態を示す縦断面図である。
【図４】本発明に係る生ゴミ処理機の第２の実施の形態の構成を略示する縦断面図である。
【符号の説明】
【００３８】
１  処理槽
２  処理水
３  担持体
５  フィルタ板
30  網袋
【図１】
2007083154.tif 000003
【図２】
2007083154.tif 000004
【図３】
2007083154.tif 000005
【図４】
2007083154.tif 000006